(57)【特許請求の範囲】
【請求項１】
巻線部(2)を有する筒状ボビン(3)内に出入自在に配設され、プローブ部(5a)とコア(5b)からなる差動変圧器のプローブ構造において、前記コア(5b)の先端に設けられ前記コア(5b)の外径より大なる外径を有するコアガイド(10)と、前記プローブ部(5a)とコア(5b)の接続部(6)もしくは前記接続部(6)の近傍位置に設けられ前記プローブ部(5a)の外径より大なる外径を有する筒状リング(11)を有することを特徴とする差動変圧器のプローブ構造。
【請求項２】
前記筒状リング(11)は、前記プローブ部(5a)の段部(5A)と前記コアガイド(10)との間に複数設けられていることを特徴とする請求項１記載の差動変圧器のプローブ構造。
【請求項３】
前記筒状リング(11)は、ポリテトラフルオロエチレン又はポリテトラフルオロエチレンを含む材料よりなることを特徴とする請求項１記載の差動変圧器のプローブ構造。
【発明の詳細な説明】
【０００１】
【発明の属する技術分野】
本発明は、差動変圧器のプローブ構造に関し、特に、プローブ部とコアとの接続部もしくはその近傍位置に筒状リングを設け、コアガイドと筒状リングとにより、ボビンとコアとを同心状に維持できるようにするための新規な改良に関する。
【０００２】
【従来の技術】
従来、用いられていた差動変圧器のプローブ構造としては、図６から図１２で示される構成が採用されていた。
すなわち、図６において符号１で示されるものは、筒状ケースであり、この筒状ケース１内には、周知の励磁巻線と出力巻線とからなる巻線部２を有する筒状ボビン３が設けられている。前記筒状ボビン３の孔４内には、非磁性のプローブ部５ａとこのプローブ部５ａに直列接続されたコア５ｂとからなるプローブ５が出入自在に設けられており、このプローブ５の出入により巻線部２からの出力電圧が変化し、この変化によってプローブ５の直線変化位置を検出することができるように構成されている。
【０００３】
前記プローブ５は、図７で示すように、メス・オス嵌合式の接続部６によって一体状に構成され、さらに、図８で示すように、コア５ｂの先端には、このコア５ｂの外径よりも大なる外径を有するコアガイド７が設けられている。また、他の従来例としては、図で示すプローブ５の表面全体に商品名テフロンからなるポリテトラフルオロエチレンコーティング膜８を形成した構成も採用されていた。また、図１１で示すように、コア５ｂの先端にねじ９を用いて前記テフロンからなるリング１０が取付けられている。
【０００４】
【発明が解決しようとする課題】
従来の差動変圧器のプローブ構造は、以上のように構成されていたため、次のような課題が存在していた。すなわち、プローブ５の先端のみに筒状ボビン３の内壁と摺動するリングが形成されているため、筒状ボビン３内を摺動する際に、プローブ５が図１１のように傾斜する。この傾斜状態によりコア５ｂの長さをｌ２とすると、ｌ2＝ｌ1＋Δｌとなり、この傾斜した面に相当するΔｌ分が出力電圧に誤差として表れていた。
【０００５】
本発明は、以上のような課題を解決するためになされたもので、特に、プローブ部とコアとの接続部もしくはその近傍位置に筒状リングを設け、コアガイドと筒状リングとにより、筒状ボビンとコアとを同心状に維持できるようにした差動変圧器のプローブ構造を提供することを目的とする。
【０００６】
【課題を解決するための手段】
本発明による差動変圧器のプローブ構造は、巻線部を有する筒状ボビン内に出入自在に配設され、プローブ部とコアからなる差動変圧器のプローブ構造において、前記コアの先端に設けられ前記コアの外径より大なる外径を有するコアガイドと、前記プローブ部とコアの接続部もしくは前記接続部の近傍位置に設けられ前記プローブ部の外径より大なる外径を有する筒状リングを有する構成であり、また、前記筒状リングは、前記プローブ部の段部と前記コアガイドとの間に複数設けられている構成であり、さらに、前記筒状リングは、ポリテトラフルオロエチレン又はポリテトラフルオロエチレンを含む材料よりなる構成である。
【０００７】
【発明の実施の形態】
以下、図面と共に本発明による差動変圧器のプローブ構造の好適な実施の形態について説明する。なお、従来例と同一又は同等部分には同一符号を付して説明する。
図１及び図２において符号５で示されるものは、前述の図６の筒状ボビン３内に出入自在に設けられたプローブであり、このプローブ５は、非磁性のプローブ部５ａとこのプローブ部５ａに直列接続されたコア５ｂとからなり、このコア５ｂの先端には図１０と同じコアガイド１０が取付ねじ９で取付けられている。
【０００８】
前記プローブ部５ａとコア５ｂの接続部６の近傍位置であるプローブ部５ａの段部５Ａには、このプローブ部５ａの外径よりも大なる外径を有する筒状リング１１が設けられている。この筒状リング１１は、前述のポリテトラフルオロエチレン又はこれを一部含む材料で形成され、表面は低μ状態で筒状ボビン３の内壁と摺動できるように構成されている。
従って、図４及び図５で示すように、プローブ５は筒状ボビン３内で摺動する際に、コアガイド１０と筒状リング１１の作用により、筒状ボビン３と常に同心状に配設されている。
【０００９】
また、図３は図１の他の形態を示すもので、前記プローブ部５ａの段部５Ａとコアガイド１０との間には、４個の筒状リング１１が設けられ、１個の筒状リング１１は接続部６に対応した位置に設けられている。なお、筒状リング１１の材質は、前述のテフロン（商品名）が好適であるが、テフロン以外の材質とすることも可能である。
【００１０】
【発明の効果】
本発明による差動変圧器のプローブ構造は、以上のように構成されているため、次のような効果を得ることができる。
すなわち、プローブの先端にコアガイドを設け、プローブのほぼ中央位置に筒状リングを有しているため、プローブ摺動時の傾きを防止し、円滑な摺動を確保し、出力電圧の誤差も防止することができる。
【図面の簡単な説明】
【図１】本発明による差動変圧器のプローブ構造を示す構成図である。
【図２】図１の要部の拡大図である。
【図３】図１の他の形態を示す断面図である。
【図４】図１のプローブの使用状態を示す断面図である。
【図５】図４の要部の横断面図である。
【図６】従来構造を示す断面図である。
【図７】図６のプローブを示す断面図である。
【図８】図７の他の従来例を示す断面図である。
【図９】図８の他の従来例を示す断面図である。
【図１０】図７の他の従来例を示す断面図である。
【図１１】図１０のプローブの使用状態を示す断面図である。
【図１２】図１１の状態を説明する説明図である。
【符号の説明】
２    巻線部
３    筒状ボビン
５ａ    プローブ部
５ｂ    コア
５Ａ    段部
６    接続部
１０    コアガイド
１１    筒状リング
【図１】
0003938441.tif 000002
【図２】
0003938441.tif 000003
【図３】
0003938441.tif 000004
【図４】
0003938441.tif 000005
【図５】
0003938441.tif 000006
【図６】
0003938441.tif 000007
【図７】
0003938441.tif 000008
【図８】
0003938441.tif 000009
【図９】
0003938441.tif 000010
【図１０】
0003938441.tif 000011
【図１１】
0003938441.tif 000012
【図１２】
0003938441.tif 000013